(57)【特許請求の範囲】
【請求項１】
記録紙を搬送するための搬送経路の一方側に配設された固定刃と、
上記固定刃に対し上記搬送経路を挟む位置から上記搬送経路を略垂直に横切る方向に移動して上記固定刃と交叉摺動可能な独立した第１の可動刃と、
上記第１の可動刃に対して記録紙の紙幅方向の所定位置に上記記録紙の一部の切り残し部を形成するように隣接配置され、上記固定刃に対し上記搬送経路を挟む位置から上記搬送経路を略垂直に横切る方向に移動して上記固定刃と交叉摺動可能な独立した第２の可動刃と、
上記第１の可動刃及び上記第２の可動刃を移動させるための駆動機構とを備えたことを特徴とするカッタ装置。
【請求項２】
記録紙を搬送するための搬送経路の一方側に配設された固定刃と、
支軸を中心として回動自在に設けられ、上記固定刃に対し上記搬送経路を挟む位置から上記搬送経路を横切る方向に移動して上記固定刃と交叉摺動可能な第１の可動刃と、
上記固定刃に対し上記搬送経路を挟む位置から上記搬送経路を略垂直に横切る方向に移動して上記固定刃と交叉摺動可能な第２の可動刃と、
上記第１の可動刃及び上記第２の可動刃を移動させるための駆動機構とを備えたことを特徴とするカッタ装置。
【請求項３】
上記第１の可動刃と上記第２の可動刃とが、リンク機構によって連動するように構成されていることを特徴とする請求項１又は２のいずれか１項記載のカッタ装置。
【請求項４】
上記第１の可動刃と上記第２の可動刃とに係合部が設けられ、これらの係合部の係合によって上記第１の可動刃と上記第２の可動刃が連動するように構成されていることを特徴とする請求項１又は２のいずれか１項記載のカッタ装置。
【請求項５】
プリンタ本体と、  該プリンタ本体に設けられ、記録紙に対して所定の印刷を行う印刷手段と、
請求項１乃至４のいずれか１項記載のカッタ装置とを備えたことを特徴とするプリンタ。
【発明の詳細な説明】
【０００１】
【発明の属する技術分野】
本発明は、例えばＰＯＳ（Ｐｏｉｎｔ−Ｏｆ−Ｓａｌｅ）システムに用いられる電子キャッシュレジスタ等のプリンタに関し、特に、記録紙を自動的に切断するカッタ装置を備えたプリンタに関する。
【０００２】
【従来の技術】
従来、この種のカッタ装置としては、固定刃と可動刃とを備え、可動刃をスライドさせ固定刃に対して交叉摺動させることによって記録紙を切断するものが広く知られている。
【０００３】
このようなカッタ装置として、例えば、特開平４−３６５５８９号公報に記載されたもののように、可動刃の刃部を、送り方向に対して所定角度だけ傾斜させた１つの傾斜刃により形成したものが知られている。
【０００４】
また、他の従来例として、特公平８−２２５１７号公報に記載されたもののように、可動刃の刃部をＶ字状に形成したものも知られている。
【０００５】
【発明が解決しようとする課題】
しかしながら、このような従来のカッタ装置においては、次のような問題があった。
【０００６】
すなわち、この種のカッタ装置の場合、記録紙を部分的に切り残すようにすることが必要とされることが多く、特開平４−３６５５８９号公報に記載されたカッタ装置においては、切り残し部分が記録紙の側部になるため、切り残し部の幅を安定させることが難しく、そのため人の手によって記録紙を引きちぎる場合に、紙を引っ張る力が大きくなったり、ちぎった跡が斜めになって見栄えが悪いという問題がある。
【０００７】
一方、特公平８−２２５１７号公報に記載されたものにおいては、そのような問題はないが、切り残す部分を記録紙の幅の中央部分からずらそうとすると、
Ｖ字形に窪んだ左右の切刃条件が変わり、一方の切断が他方の切断に影響して、バランスを欠いたものとなり、カット品質を損なう恐れがあることから、切り残す部分を記録紙の幅の中央部分になるように構成しなければならない。
【０００８】
本発明は、このような従来の技術の課題を解決するためになされたもので、記録紙を軽い力でちぎれて、ちぎった跡の見栄えが良く、しかも、記録紙の切り残す部分の位置を任意に設定しうるカッタ装置及びこれを用いたプリンタを提供することを目的とする。
【０００９】
【課題を解決するための手段】
上記目的を達成するためになされた請求項１記載の発明は、記録紙を搬送するための搬送経路の一方側に配設された固定刃と、上記固定刃に対し上記搬送経路を挟む位置から上記搬送経路を略垂直に横切る方向に移動して上記固定刃と交叉摺動可能な独立した第１の可動刃と、上記第１の可動刃に対して記録紙の紙幅方向の所定位置に上記記録紙の一部の切り残し部を形成するように隣接配置され、上記固定刃に対し上記搬送経路を挟む位置から上記搬送経路を略垂直に横切る方向に移動して上記固定刃と交叉摺動可能な独立した第２の可動刃と、上記第１の可動刃及び上記第２の可動刃を移動させるための駆動機構とを備えたことを特徴とするカッタ装置である。
【０００１０】
請求項１記載の発明の場合、固定刃に対し記録紙の搬送経路を挟む位置から搬送経路を略垂直に横切る方向に移動して固定刃と交叉摺動可能なそれぞれ独立した第１及び第２の可動刃を設けたことから、記録紙の切り残す部分を記録紙の側部以外の位置に設定することができ、これによりバラツキの少ない切り残し幅となり、安定した紙の引っ張り力とちぎった跡の見栄えを向上させることが可能になる。
【００１１】
しかも、本発明の場合は、第１及び第２の可動刃が別々に構成され、切断条件が独立していることから、切り残す部分を記録紙の幅の中央部分からずらした場合においても、。それぞれの切刃での切断条件の違いが他方へ悪影響を及ぼすという問題はない。
【００１２】
さらに、本発明によれば、記録紙の幅に近い２つ可動刃の構成とすることで、小型のカッタ装置を提供することが可能になる。
【０００１３】
また、請求項２記載の発明は、記録紙を搬送するための搬送経路の一方側に配設された固定刃と、支軸を中心として回動自在に設けられ、上記固定刃に対し上記搬送経路を挟む位置から上記搬送経路を横切る方向に移動して上記固定刃と交叉摺動可能な独立した第１の可動刃と、上記固定刃に対し上記搬送経路を挟む位置から上記搬送経路を略垂直に横切る方向に移動して上記固定刃と交叉摺動可能な独立した第２の可動刃と、上記第１の可動刃及び上記第２の可動刃を移動させるための駆動機構とを備えたことを特徴とするカッタ装置である。  請求項２記載の発明の場合、第１の可動刃として、いわゆるはさみ式のものを用いていることから、
第１の可動刃を移動さるための駆動力を低減させることができ、特に、第１及び第２の可動刃が連動するように構成されている場合には、駆動機構が簡素化でき、可動刃全体を駆動する力が少なくて済む。
【００１４】
この場合、請求項３記載の発明のように、請求項１又は２のいずれか１項記載の発明において、上記第１の可動刃と上記第２の可動刃とが、リンク機構によって連動するように構成されていることも効果的である。
【００１５】
請求項３記載の発明によれば、１つの駆動モータによって第１及び第２の可動刃を駆動させることができ、構成の簡素なカッタ装置を得ることが可能になる。
【００１６】
また、請求項４記載の発明のように、請求項１又は２のいずれか１項記載の発明において、上記第１の可動刃と上記第２の可動刃とに係合部が設けられ、これらの係合部の係合によって上記第１の可動刃と上記第２の可動刃が連動するように構成されていることも効果的である。
【００１７】
請求項４記載の発明によれば、リンク機構が必要ないため、さらに構成の簡素なカッタ装置を得ることが可能になる。
【００１８】
一方、請求項５記載の発明は、プリンタ本体と、このプリンタ本体に設けられ、記録紙に対して所定の印刷を行う印刷手段と、請求項１乃至４のいずれか１項記載のカッタ装置とを備えたことを特徴とするプリンタである。
【００１９】
請求項５記載の発明によれば、記録紙を引きちぎる力のバラツキが少なく、記録紙の切り残し部分のちぎり跡の見栄えが良く、しかも、記録紙の切り残す部分の位置を任意に設定しうるプリンタを容易に得ることが可能になる。
【００２０】
【発明の実施の形態】
以下、本発明に係るカッタ装置及びこれを用いたプリンタの実施の形態を図面を参照して詳細に説明する。
図１は、本実施の形態のプリンタの外観を示す斜視図である。
【００２１】
図１に示すように、本実施の形態のプリンタ１は、ＰＯＳシステムに用いられる電子キャッシュレジスタ等に適用されるドットインパクトプリンタで、リボンカセット３が着脱可能なプリンタ本体２と、このプリンタ本体２の後方に設けられる記録紙Ｓの供給部２ａとから構成される。
【００２２】
プリンタ本体２には、記録紙Ｓに対して所定の印字を行うための印字ヘッドを有する印字手段（図示せず）と、印字位置に記録紙Ｓを送るための図示しない紙送り機構と、印字された記録紙Ｓを切断するためのカッタ装置４とが設けられている。
【００２３】
図１に示すように、カッタ装置４は、プリンタ本体２の上部に設けられ、以下に説明するような構成を有している。
【００２４】
図２（ａ）は、本発明に係るカッタ装置の第１の実施の形態の構成を示す平面図であり、内部構造を表わすために上面を覆うカッタカバ−６は図示していない。図２（ｂ）は、同カッタ装置の構成を示す正面図である。また、図３（ａ）は、本実施の形態における固定刃及び可動刃の配置および取付けを示す平面図であり、図３（ｂ）は、その正面図である。。
【００２５】
図２（ａ）（ｂ）に示すように、本実施の形態のカッタ装置４は、カッタフレーム５とカッタカバー６とから構成されるハウジングを有している。
【００２６】
カッタフレ−ム５は、例えばメッキ鋼板等の金属板を折り曲げた箱状の部材からなり、図３に示すように、その一方の長縁部に金属製の固定刃７が固定されている。本実施の形態の場合は、固定刃７は長尺の部材からなり、一体形成されている。
【００２７】
そして、記録紙Ｓの搬送経路Ｒを挟んで固定刃７の反対側には、略三角形状の金属製の第１の可動刃８及び第２の可動刃９が設けられている。本実施の形態の場合、切り残す部分を記録紙の幅の中央よりずらしているため、第１の可動刃８が大きく、第２の可動刃９が小さく形成されたものが用いられる。
【００２８】
ここで、第１及び第２の可動刃８、９の端部には膨出部８ｂ、９ｂが形成され、これらの膨出部８ｂ、９ｂが固定刃７の上に乗り上げるようになっている。また、第１及び第２の可動刃８、９の刃部８ａ、９ａは、固定刃７の刃部７ａに対して所定の角度だけ傾斜するように形成されている。図３に示すように、本実施の形態においては、固定刃７の刃部７ａと第１及び第２の可動刃８、９の刃部８ａ、９ａとの間隔が、固定刃７の両端部から中央部に向って広がるように構成されている。
【００２９】
また、図２（ａ）に示すように、第１の可動刃８と第２の可動刃９は、固定刃７の中央付近において所定の距離Ｋだけ離して配置されている。そして、このような構成により、固定刃７の刃部７ａに対して略Ｖ字状の第１及び第２の可動刃８、９の刃部８ａ、９ａが形成されている。
【００３０】
本実施の形態においては、第１及び第２の可動刃８、９は、次のような構成を有する駆動機構１０によって駆動される。すなわち、図２（ａ）に示すように、駆動モータＭと、この駆動モータＭのトルクを第１及び第２の可動刃８、９に伝達するためのモータ歯車１１、減速歯車１２、ウォームギア１３、駆動歯車１４とで構成される。本実施例においては、駆動機構１０はカッタカバ−６に取り付けられている。
【００３１】
駆動モ−タＭは、カッタカバ−６から突き立てられた取付け板６ａに固定される。減速歯車１２とウォ−ムギア１３には、取付け板６ａ、６ｂに渡された減速軸２６が貫通しており、クラッチ２０でクラッチバネ１８により押圧状態で取付けられている。ウォームギア１３と噛み合う円盤状の駆動歯車１４は、カッタカバ−６に固着した支軸１４ａを中心として回動自在に取り付けられ、この駆動歯車１４の上面には駆動ピン１５が設けられる。そして、カッタフレーム５には長尺の金属製のリンクレバー１６が支軸１６ａを中心として回動自在に取り付けられ、このリンクレバー１６の先端部分に形成した長孔１６ｂと駆動歯車１４の駆動ピン１５とが係合し、駆動歯車１４の回動に伴ってリンクレバー１６が回動するように構成されている。
【００３２】
さらに、リンクレバー１６の中腹部分に形成した長孔１６ｃと後述するスライド板１９に設けられたスライド駆動ピン２２とが係合し、リンクレバ−１６の回動に伴ってスライド板１９が往復動するように構成されている。
【００３３】
図３（ａ）に示すように、スライド板１９は四角形状の金属製の部材からなり、その中央部分に上述したスライド駆動ピン２２が設けられている。また、スライド板１９には、その長手方向に延びる３つの長孔１９ｂと、４つの突起１９ｃが設けられている。ここで、スライド板１９の長孔１９ｂはカッタフレーム５に設けた突起５ｂと嵌合するようになっている。また、スライド板１９の突起１９ｃは、第１及び第２の可動刃８、９に設けた孔部８ｄ、９ｄに嵌合するようになっている。第１及び第２の可動刃８、９の接近する端部近くには押え軸１７が設けられ、図３（ｂ）に示すように、押え軸１７の周囲に装着した圧縮コイルばね２１によって、第１及び第２の可動刃８、９をスライド板１９を介してカッタフレ−ム５と固定刃７に付勢するように構成されている。
【００３４】
ここで、押え軸１７は、座金１７ａを介してカッタフレ−ム５の長孔５ａとスライド板１９の孔部１９ａとを貫通し、さらに、第１及び第２の可動刃８、９の孔部８ｃ、９ｃを貫通して取り付けられる。
【００３５】
そして、押え軸１７に装着された圧縮コイルばね２１を、座金２４を介して止め輪２５で止めることによって、第１及び第２の可動刃８、９を（スライド板１９を介して）カッタフレ−ム５、また、第１及び第２の可動刃８、９の膨出部８ｂ、９ｂや刃部８ａ、９ａを固定刃７に付勢するようになっている。
【００３６】
圧縮コイルばね２１の強さは、第１及び第２の可動刃８、９のそれぞれの傾斜の度合やせん断角度等に応じた設定となっている。
【００３７】
また、図３（ｂ）に示すように、スライド板１９は、固定刃７の厚さより薄く形成され、これにより第１及び第２の可動刃８、９に対して適切な傾斜角を与えるようになっている。
【００３８】
なお、図２（ｂ）に示すように、カッタカバー６には、駆動歯車１４の近傍に検出器２３が取り付けられ、駆動歯車１４に設けられたカム１４ｂにより、第１及び第２の可動刃８、９の位置を検出するようになっている。、この検出器２３は図示しない回路基板に接続されている。
【００３９】
このような構成を有する本実施の形態において駆動モータＭを駆動させると、モータ歯車１１、減速歯車１２、ウォームギア１３を介してそのトルクが駆動歯車１４に伝達されて駆動歯車１４が回転し、これに伴ってリンクレバー１６が図２（ａ）中実線で示す位置から２点鎖線で示す位置に移動する。この場合、スライド板１９の長孔１９ｂがカッタフレーム５の突起５ｂによって矢印Ａ方向へ案内されるため、スライド板１９と係合している第１及び第２の可動刃８、９も矢印Ａ方向に移動し、固定刃７の刃部ａに対して第１及び第２の可動刃８、９の刃部８ａ、９ａが距離Ｌだけ摺動することにより、記録紙Ｓが切断される。
【００４０】
また、切断動作中に第１及び第２の可動刃８、９と固定刃７との間に異物等を挟み込みロック状態となった際には、減速歯車１２とウォ−ムギア１３のクラッチ部で滑りが生じることで、カッタの構成部材が保護される。
【００４１】
以上述べたように本実施の形態によれば、固定刃７と交叉摺動可能な第１及び第２の可動刃８、９を設けたことから、記録紙Ｓの切り残す部分を記録紙Ｓの側部以外の位置（略中央）に設定することができ、これにより、切り残し部の長さのバラツキを小さくし、ちぎる際に紙を引き取る力を軽いものとし、ちぎった跡の見栄えを向上させることができる。
【００４２】
しかも、本実施の形態の場合は、第１及び第２の可動刃８、９が別々に構成されていることから、切り残す部分を記録紙Ｓの幅の中央部分からずらした場合において、それぞれの切刃での切断条件の違いによるアンバランスがあっても、カット品質を損ねることがない。
【００４３】
さらに、本実施の形態によれば、第１及び第２の可動刃８、９はスライド方式のものであることから、記録紙Ｓの幅に近い範囲に可動刃を納めることができ、小型のカッタ装置を提供することができる。
【００４４】
その上、本実施の形態によれば、リンク機構を構成するリンクレバー１６を第１及び第２の可動刃８、９に係合させるようにしたことから、構成の簡素なカッタ装置を得ることが可能になる。
【００４５】
図４は、本発明に係るカッタ装置の第２の実施の形態の構成を示す平面図であり、内部構造を表わすために上面を覆うカッタカバ−６の図示のないものである。図５（ａ）は、同カッタ装置の構成を示す正面図、図５（ｂ）は、同カッタ装置の押え軸の取り付け部の断面図、図６は、同カッタ装置の構成を示す側面図である。以下、上述した実施の形態と共通する部分について、同一の符号を付して説明する。
【００４６】
本実施の形態のカッタ装置４Ａは、駆動機構１０Ａにおいて、いわゆるはさみ方式の第１の可動刃８Ａを用いたものである。図４に示すように、本実施の形態においては、カッタフレーム５の一方の縁部に固定刃７が設けられるとともに、固定刃７の基部７０に所定の長さを有する第１の可動刃８Ａが支軸８０を中心として回動自在に設けられている。
【００４７】
図５（ａ）に示すように、支軸８０の周囲には圧縮コイルばね８１が装着され、これにより第１の可動刃８Ａが固定刃７に対して付勢され、支軸８０の近傍で固定刃７０の端部にスペ−サ７１が設けられ、これにより第１の可動刃８Ａが固定刃７０に対し傾斜するようになっている。また、図４に示すように第１の可動刃８Ａには長孔８３が形成され、この長孔８３が駆動歯車１４の駆動ピン１５と係合することによってリンク機構が構成されている。
【００４８】
一方、本実施の形態の第２の可動刃９Ａは略四角形状の部材からなり、前述の実施の形態と同様の刃部９ａ及び膨出部９ｂが形成されている。そして、第２の可動刃９Ａには、膨出部９ｂと反対側の縁部に、矢印Ａ方向に延びる長孔９０が設けられ、この長孔９０を押え座金９４を介して貫通するように押え軸９２が取り付けられている。図５（ｂ）に示すように、この回動軸９２の周囲には圧縮コイルばね９３が装着され、これにより押え座金９４を介して、第２の可動刃９Ａが固定刃７に対して付勢されるようになっている。
【００４９】
図４に示すように、第２の可動刃９Ａは、その膨出部９ｂが固定刃７に乗り上げるように配設されるとともに、カッタフレーム５に設けた支持部５０、５１によって支持される。この場合、固定刃７の厚さをａ、支持部５０の厚さをｂ、支持部５１の厚さをｃとすると、ａ＞ｂ＞ｃとなるように設定することが好ましい。すなわち、このような構成にすることにより、固定刃７に対して第２の可動刃９Ａを傾斜させて記録紙Ｓの切断に必要な交叉摺動条件を確保し、記録紙Ｓの安定した切断を行うことができる。
【００５０】
また、第２の可動刃９Ａの一方の縁部には、矢印Ａ方向に延びる長孔９１が形成され、この長孔９１に対応するカッタフレーム５の部分に長尺のリンクレバー３０が支軸３１を中心として回動自在に設けられている。このリンクレバー３０の中腹部分には長孔３３が設けられ、この長孔３３は第２の可動刃９Ａに設けた駆動ピン３２と係合している。
【００５１】
さらに、リンクレバー３０の先端部には長孔３４が設けられ、第１の可動刃８Ａの長孔８１の近傍に設けた駆動ピン８２とリンクレバー３０の長孔３４が係合することによってリンク機構が構成されている。
【００５２】
このような構成を有する本実施の形態において、駆動モータＭを駆動させると、モータ歯車１１、減速歯車１２、ウォームギア１３を介してそのトルクが駆動歯車１４に伝達されて駆動歯車１４が回転し、これに伴って第１の可動刃８Ａが矢印Ｂ方向へ回転する。これと同時にリンクレバー３０が矢印Ｃ方向へ回転し、これに伴って第２の可動刃９Ａが矢印Ａ方向へ距離Ｌだけ移動する。その結果、第１の可動刃８Ａと第２の可動刃９Ａが、それぞれ図４中実線で示す位置から２点鎖線で示す位置まで移動して記録紙Ｓが切断される。この場合、第１の可動刃８Ａの刃部８ａと第２の可動刃９Ａの刃部９ａは、隣接する部分において所定の距離（切り残し幅）Ｋだけ離間するように構成されており、これにより記録紙Ｓは所定の切り残し幅Ｋだけ残して切断される。
【００５３】
以上述べたように本実施の形態によれば、上述の実施の形態と同様に記録紙Ｓの切り残す部分を記録紙Ｓの側部以外の位置に設定することができることに加え、いわゆるはさみ方式の第１の可動刃８Ａを用いていることから、第１及び第２の可動刃８Ａ、９Ａを移動さるための駆動力を小さくすることができる。その他の構成及び作用効果については上記実施の形態と同一であるのでその詳細な説明を省略する。
【００５４】
図７は、本発明に係るカッタ装置の第３の実施の形態の構成を示す平面図である。
【００５５】
本実施の形態は、駆動機構１０Ｂにおいて、リンクレバーを用いないで第２の可動刃９Ｂを移動させるように構成されたものであり、以下、上述した実施の形態と共通する部分について、同一の符号を付して説明する。
【００５６】
図７に示すように、本実施の形態においては、第１の可動刃８Ｂの先端部に係合部８５を突出形成するとともに、第２の可動刃９Ｂに、第１の可動刃８Ｂの係合部８５と係合する２つの係合部９３、９４が形成されている。ここで、第２の可動刃９Ｂの係合部９３、９４は、所定の間隔で形成され、第１の可動刃８Ｂが回動することにより、その係合部８５が第２の可動刃９Ｂの係合部９３、９４と突き当たるように構成されている。
【００５７】
また、本実施の形態においては、カッタフレーム５にガイドピン５ｃが設けられ、このガイドピン５ｃが第１の可動刃９Ｂに形成した矢印Ａ方向に延びるガイド長孔９５と係合するように構成されている。
【００５８】
このような構成を有する本実施の形態において、駆動モータＭを駆動させると、モータ歯車１１、減速歯車１２、ウォームギア１３を介してそのトルクが駆動歯車１４に伝達されて駆動歯車１４が回転し、これに伴って第１の可動刃８Ｂが矢印Ｂ方向へ回転する。その結果、第１の可動刃８Ｂの刃部８ａによって記録紙Ｓの一方側の部分が切断されるとともに、第１の可動刃８Ｂの係合部８５が第２の可動刃９Ｂの係合部９３と係合することによって第２の可動刃９Ｂが矢印Ａ方向へ移動して記録紙Ｓの他方側の部分が切断され、これにより記録紙Ｓは所定の切り残し幅Ｋだけ残して切断される。
【００５９】
以上述べたように本実施の形態によれば、上述の実施の形態と同様に記録紙Ｓの切り残す部分を記録紙Ｓの側部以外の位置に設定することができることに加え、リンクレバーを用いていないことから、さらに構成を簡素なものとすることができる。その他の構成及び作用効果については上記実施の形態と同一であるのでその詳細な説明を省略する。
【００６０】
なお、本発明は上述の実施の形態に限られることなく、種々の変更を行うことができる。
例えば、第１の実施の形態においては、第１及び第２の可動刃を大きさの異なる形状としたが、本発明はこれに限られず、第１及び第２の可動刃の刃部の長さを同じくして切り残す部分を紙幅の中央部分とするように構成することも可能である。  また、上述の実施の形態においては、カット方式を摺り切りスライド式を採用しているが、一方をノコ刃のギロチン式などと別の方式とすることもできる。また、第１及び第２の可動刃に対する固定刃を共用するようにしたが、各可動刃に対して別個に設けることも可能である。
【００６１】
さらに、上述の実施の形態においては、１つの記録紙を切断する装置を例に取って説明したが、本発明はこれに限られず、並列した２つの記録紙を切断する装置にも適用することができる。ただし、本発明は、上述の実施の形態のように、１つの記録紙を部分的に切り残して切断するカッタ装置に適用する場合に最も効果的なものである。
【００６２】
さらにまた、本発明はドットインパクト方式のプリンタのみならず、例えば、サ−マル方式やインクジェット方式等の種々のプリンタにも適用しうるものである。
【００６３】
【発明の効果】
以上述べたように本発明によれば、一部の切り残しを付けて切断された記録紙をちぎり取る際に、紙を引っ張る力を軽くするとともに、ちぎった跡の見栄えを良くすることができ、しかも、記録紙の切り残す部分の位置を任意に設定しうる小型のカッタ装置及びこれを用いたプリンタを得ることができる。
【図面の簡単な説明】
【図１】本発明に係るプリンタの実施の形態の外観を示す斜視図である。
【図２】（ａ）：同実施の形態のカッタ装置の構成を示す平面図である。
（ｂ）：同カッタ装置の構成を示す正面図である。
【図３】同実施の形態における固定刃及び可動刃の配置及び取り付けを示す平面図である。
【図４】本発明に係るカッタ装置の他の実施の形態の構成を示す平面図である。
【図５】（ａ）同カッタ装置の構成を示す正面図である。
（ｂ）同カッタ装置の押え軸の取り付け部を示す断面図である。
【図６】同カッタ装置の構成を示す側面図である。
【図７】本発明に係るカッタ装置のさらに他の実施の形態の構成を示す平面図である。
【符号の説明】
１    プリンタ
２    プリンタ本体
４    カッタ装置
５    カッタフレーム
６    カバーフレーム
７    固定刃
８    第１の可動刃
９    第２の可動刃
１０    駆動機構
１６    リンクレバー
１９    スライド板
Ｍ    駆動モータ
Ｒ    搬送経路
Ｓ    記録紙
【図１】
0003711734.tif 000002
【図２】
0003711734.tif 000003
【図３】
0003711734.tif 000004
【図４】
0003711734.tif 000005
【図５】
0003711734.tif 000006
【図６】
0003711734.tif 000007
【図７】
0003711734.tif 000008